(57)【要約】【課題】  大型の監視カメラであっても、作業台として監視カメラの保持を確実に行える梱包システムを提供する。【解決手段】  緩衝材は、監視カメラの底部を保持する底面部と、監視カメラの第１の側面を保持する第１の側面部と、底面部と第１の側面部をつなぐ第１の連接部と、監視カメラの第２の側面を保持する第２の側面部と、底面部と第２の側面部をつなぐ第２の連接部とが一体的に形成される。緩衝材の第１の側面部の第１の連接部の反対側には、監視カメラを逆さに保持する第１のリブ形状部が形成されるとともに、第１のリブ形状部の両側に包装箱の内側側面に接触する第１の中空凸部が形成される。緩衝材の第２の側面部の第２の連接部の反対側には、監視カメラを逆さに保持する第２のリブ形状部が形成されるとともに、第２のリブ形状部の両側に包装箱の内側側面に接触する第２の中空凸部が形成される。【選択図】  図１
2013035573.tif 000002
【特許請求の範囲】
【請求項１】
円形ドーム部を有する監視カメラを保持する緩衝材と、前記緩衝材が収納される包装箱を備える梱包システムであって、
前記緩衝材は、板状の熱可塑性樹脂を熱成形することにより形成されるとともに、前記監視カメラの底部を保持する底面部と、前記監視カメラの第１の側面を保持する第１の側面部と、前記底面部と第１の側面部との間に位置する第１の連接部と、前記監視カメラの第２の側面を保持する第２の側面部と、前記底面部と第２の側面部との間に位置する第２の連接部とが一体的に形成され、
前記緩衝材の前記第１の側面部の第１の連接部の反対側には、前記円形ドーム部を下向きにして前記監視カメラを保持する第１のリブ形状部が形成されるとともに、前記第１のリブ形状部の両側に前記緩衝材の成形基準面を基準として前記監視カメラを保持する面に対して反対側の面に突出させる第１の中空凸部が形成され、
前記緩衝材の前記第２の側面部の第２の連接部の反対側には、前記円形ドーム部を下向きにして前記監視カメラを保持する第２のリブ形状部が形成されるとともに、前記第２のリブ形状部の両側に前記緩衝材の成形基準面を基準として前記監視カメラを保持する面に対して反対側の面に突出させる第２の中空凸部が形成されることを特徴とする梱包システム。
【請求項２】
前記緩衝材を前記包装箱に収納するとき、前記第１の中空凸部および前記第２の中空凸部が、前記包装箱の内側側面に接触することを特徴とする請求項１に記載の梱包システム。
【請求項３】
前記緩衝材の前記第１の側面部には、前記緩衝材が前記監視カメラを梱包する状態および前記緩衝材が前記円形ドーム部を下向きにして前記監視カメラを保持する状態にて、前記緩衝材が前記円形ドーム部に接触しないように逃げる第１の逃げ形状部が形成され、
前記緩衝材の前記第２の側面部には、前記緩衝材が前記監視カメラを梱包する状態および前記緩衝材が前記円形ドーム部を下向きにして前記監視カメラを保持する状態にて、前記緩衝材が前記円形ドーム部に接触しないように逃げる第２の逃げ形状部が形成されることを特徴とする請求項１または２に記載の梱包システム。
【請求項４】
前記第１のリブ形状部は前記第１の逃げ形状部を補強し、前記第２のリブ形状部は前記第２の逃げ形状部を補強することを特徴とする請求項３に記載の梱包システム。
【請求項５】
前記監視カメラは、表面カバーを有し、
前記緩衝材の前記第１の側面部には、前記表面カバーの第１の側面を保持する第１の保持部が形成されるとともに、
前記第１の保持部の前記監視カメラの重心となる位置には、前記緩衝材の成形基準面を基準として前記監視カメラを保持する面に対して反対側の面に突出させる第３の中空凸部を形成され、
前記緩衝材の前記第２の側面部には、前記表面カバーの第２の側面を保持する第２の保持部が形成されるとともに、
前記第２の保持部の前記監視カメラの重心となる位置には、前記緩衝材の成形基準面を基準として前記監視カメラを保持する面に対して反対側の面に突出させる第４の中空凸部を形成されることを特徴とする請求項１ないし４のいずれか１項に記載の梱包システム。
【請求項６】
前記第１の中空凸部の突出端と前記第１のリブ形状部の端との間に空間が形成され、
前記第２の中空凸部の突出端と前記第２のリブ形状部の端との間に空間が形成されることを特徴とする請求項１ないし５のいずれか１項に記載の梱包システム。
【発明の詳細な説明】
【技術分野】
【０００１】
本発明は、監視カメラを梱包する梱包システムに関し、特に監視カメラ設置時の準備作業などで監視カメラを保持する作業台として利用可能な梱包システムに関する。
【背景技術】
【０００２】
従来、光学系を内蔵した円形ドーム部と、金具取付面および配線接続部とが形成された監視カメラが知られている。
【０００３】
このような監視カメラを設置対象場所に設置する場合、設置現場では、梱包された監視カメラを開梱し、金具取付面への金具の取り付けや配線接続部に対する配線などの設置作業を行う必要がある。
【０００４】
円形ドーム部は略球体形状であるので、円形ドーム部を支えることなく、このような設置作業を行うと監視カメラが傾いて安定しない。このため、設置作業では、監視カメラの緩衝材を利用して監視カメラを載置するための作業台とすることが提案されている。（特許文献１参照）
【先行技術文献】
【特許文献】
【０００５】
【特許文献１】特開２０１１−３７５０６号公報
【発明の概要】
【発明が解決しようとする課題】
【０００６】
しかしながら、近年、監視カメラにも、より明るく、より解像度の高いレンズが求められるようになり、従来よりも大型の監視カメラが登場している。
【０００７】
特許文献１に開示される緩衝材はシート状の熱可塑性樹脂を熱成形することにより形成されている。このように成形される緩衝材を、円形ドーム部の大きな監視カメラに適用すると、成形時のシート材が深絞りになってしまい、緩衝材に極端に薄い部分ができたり、緩衝材が破れたりする問題が発生する。
【０００８】
そして、そのような緩衝材をそのまま作業台として使用すると、緩衝材の強度不足により、監視カメラを安定して支えることができない。
【０００９】
本発明の目的は、大型の監視カメラであっても、作業台として監視カメラの保持を確実に行える梱包システムを提供することにある。
【課題を解決するための手段】
【００１０】
本発明は、円形ドーム部を有する監視カメラを保持する緩衝材と、前記緩衝材が収納される包装箱を備える梱包システムであって、前記緩衝材は、板状の熱可塑性樹脂を熱成形することにより形成されるとともに、前記監視カメラの底部を保持する底面部と、前記監視カメラの第１の側面を保持する第１の側面部と、前記底面部と第１の側面部との間に位置する第１の連接部と、前記監視カメラの第２の側面を保持する第２の側面部と、前記底面部と第２の側面部との間に位置する第２の連接部とが一体的に形成され、前記緩衝材の前記第１の側面部の第１の連接部の反対側には、前記円形ドーム部を下向きにして前記監視カメラを保持する第１のリブ形状部が形成されるとともに、前記第１のリブ形状部の両側に前記緩衝材の成形基準面を基準として前記監視カメラを保持する面に対して反対側の面に突出させる第１の中空凸部が形成され、前記緩衝材の前記第２の側面部の第２の連接部の反対側には、前記円形ドーム部を下向きにして前記監視カメラを保持する第２のリブ形状部が形成されるとともに、前記第２のリブ形状部の両側に前記緩衝材の成形基準面を基準として前記監視カメラを保持する面に対して反対側の面に突出させる第２の中空凸部が形成されることを特徴とする。
【発明の効果】
【００１１】
本発明によれば、大型の監視カメラであっても、作業台として監視カメラの保持を確実に行える梱包システムを提供することができる。
【図面の簡単な説明】
【００１２】
【図１】本発明の梱包システムとしての緩衝材５００および包装箱６００を監視カメラ４００を逆さに保持する作業台として使用する様子を説明する図である。
【図２】緩衝材５００および包装箱６００を作業台として監視カメラ４００を逆さに保持した状態を説明する図である。
【図３】緩衝材５００を展開して、監視カメラ４００を取り出した状態を示した図である。
【図４】緩衝材５００に梱包された監視カメラ４００を包装箱６００から取り出した状態を説明する図である。
【図５】緩衝材５００が監視カメラ４００を梱包した状態を説明する図である。
【発明を実施するための形態】
【００１３】
以下、本発明の実施の形態として、監視カメラ４００を梱包する梱包システムを図面を参照しながら説明する。本発明の梱包システムは緩衝材５００および包装箱６００にて構成されている。
【００１４】
図４は、緩衝材５００に梱包された監視カメラ４００を包装箱６００から取り出した状態を説明する図である。
【００１５】
図４にて、上面緩衝材７００は、パルプ材により形成される緩衝材であり、包装箱６００内で、緩衝材５００の上に配置される。上面緩衝材７００は、上面緩衝材７００と監視カメラ４００の円形ドーム部４３０との間に空間を保つように、形成される。上面緩衝材７００が緩衝材５００の上に配置されることで、円形ドーム部４３０の上面を保護する。
【００１６】
緩衝材５００は、板状の熱可塑性樹脂を熱成形することにより形成され、例えば板厚０．８ｍｍ程度のポリプロピレン（ＰＰ）シート材を真空成型により製作した薄肉構造体である。緩衝材５００が包装箱６００に収容されるとき、緩衝材５００の外周部５００ａは、包装箱６００の内側側面および内側底面に接触する。これによって、緩衝材５００は、包装箱６００内で、がたつくことなく保持される。緩衝材５００は、第１の側面部１００、第２の側面部２００および底面部３００から構成されている。
【００１７】
図３は、緩衝材５００を展開して、監視カメラ４００を取り出した状態を示した図である。
【００１８】
図３に示すように、緩衝材５００は、第１の側面部１００、第２の側面部２００および底面部３００が一体的に形成されている。
【００１９】
第１の側面部１００には、監視カメラ４００の表面カバー４２０を保持する第１の保持部１２０、監視カメラ４００の円形ドーム部４３０を保護するための空間を形成する第１の逃げ形状部１３０および第１の逃げ形状部１３０を補強する第１のリブ形状部１４０が形成されている。
【００２０】
第１の側面部１００に形成される第１の保持部１２０は、監視カメラ４００の表面カバー４２０を側面から保持する。第１の保持部１２０は、監視カメラ４００の半径方向の規制と上方向の規制をする形状となっている。第１の側面部１００に形成される突出部１８０は、第１の保持部１２０に連接して形成され、包装箱６００に衝撃が与えられる際には、突出部１８０が潰れることで、衝撃を吸収する。
【００２１】
第１の側面部１００に形成される第３の中空凸部１５０および第１の中空凸部１６０は、緩衝材５００の成形基準面５００ｆを基準として監視カメラ４００を保持する面に対して反対側の面にそれぞれ形成されている。第３の中空凸部１５０および第１の中空凸部１６０は、包装箱６００の内側側面に接触する。包装箱６００に衝撃が与えられる際には、第３の中空凸部１５０および第１の中空凸部１６０が潰れることで、衝撃を吸収する。第３の中空凸部１５０は、監視カメラ４００のほぼ重心となる位置に形成され、第１の中空凸部１６０は第１の側面部１００の先端部分に形成されている。
【００２２】
第２の側面部２００には、監視カメラ４００の表面カバー４２０を保持する第２の保持部２２０、監視カメラ４００の円形ドーム部４３０を保護する第２の逃げ形状部２３０および第２の逃げ形状部２３０を補強する第２のリブ形状部２４０が形成されている。
【００２３】
第２の側面部２００に形成される第２の保持部２２０は、監視カメラ４００の表面カバー４２０を側面から保持する。第２の保持部２２０は、監視カメラ４００の半径方向の規制と上方向の規制をする形状となっている。第２の側面部２００に形成される突出部２８０は、第２の保持部２２０に連接して形成され、包装箱６００に衝撃が与えられる際には、突出部２８０が潰れることで、衝撃を吸収する。
【００２４】
第２の側面部２００に形成される第４の中空凸部２５０および第２の中空凸部２６０は、緩衝材５００の成形基準面５００ｆを基準として監視カメラ４００を保持する面に対して反対側の面にそれぞれ形成されている。第４の中空凸部２５０および第２の中空凸部２６０は、包装箱６００の内側側面に接触する。包装箱６００に衝撃が与えられる際には、第４の中空凸部２５０および第２の中空凸部２６０が潰れることで、衝撃を吸収する。第４の中空凸部２５０は、監視カメラ４００のほぼ重心となる位置に形成され、第２の中空凸部２６０は第２の側面部２００の先端部分に形成されている。
【００２５】
底面部３００には、監視カメラ４００の底部４１０を支持する底受け部３３０が形成されている。
【００２６】
底面部３００に形成される中空凸部３５０は、緩衝材５００の成形基準面５００ｆを基準として監視カメラ４００を保持する面に対して反対側の面にそれぞれ形成されている。中空凸部３５０は、監視カメラ４００のほぼ重心となる位置に形成され、包装箱６００の内側側面に接触する。包装箱６００に衝撃が与えられる際には、中空凸部３５０が潰れることで、衝撃を吸収する。
【００２７】
底面部３００に形成される突出部３６０は、底面部３００の底受け部３３０に連接して形成されている。突出部３６０は、底面部３００のうち、第１の側面部１００または第２の側面部２００に連接していない両端部に形成されている。包装箱６００に衝撃が与えられる際には、突出部３６０が潰れることで、衝撃を吸収する。
【００２８】
底面部３００に形成される突出部３３１は、底面部３００の底受け部３３０に突出して形成されている。突出部３３１は、監視カメラ４００の底部４１０の外周形状とほぼ同形状の円弧状となっている。
【００２９】
底面部３００と第１の側面部１００との間には、第１の連接部３１０が形成され、底面部３００と第２の側面部２００との間には、第２の連接部３２０が形成され、第１の連接部３１０および第２の連接部３２０は、それぞれ折り曲げ部分となっている。第１の側面部１００には突出部１０１が形成され、第２の側面部２００には突出部２０１が形成され、底受け部３３０には突出部３０１、３０２が形成される。突出部１０１と突出部３０１との間に連接部３１０が形成されており、連接部３１０で第１の側面部１００を折り曲げたときに、突出部１０１と突出部３０１とが当接する。突出部２０１と突出部３０２との間に連接部３２０が形成されており、連接部３２０で第２の側面部２００を折り曲げたときに、突出部２０１と突出部３０２とが当接する。これによって、緩衝材５００を包装箱６００に収納したときに、緩衝材５００の第１の側面部１００と第２の側面部２００が底面部３００に対して倒れることなく高い剛性を得ることができる。
【００３０】
図５（ａ）は、緩衝材５００が監視カメラ４００を梱包した状態を上面から見た図である。図５（ｂ）は、図５（ａ）における監視カメラ４００を梱包した緩衝材５００のＡ−Ａ断面である。図５（ｂ）に示すように、監視カメラ４００の底部４１０が、緩衝材５００の底面部３００に形成された底受け部３３０に保持される。そして、監視カメラ４００の表面カバー４２０が、第１の側面部１００に形成された第１の保持部１２０および第２の側面部２００に形成された第２の保持部２２０によって保持される。このため、緩衝材５００は振動や衝撃から監視カメラ４００を守ることができる。
【００３１】
図５（ｂ）に示すように、第１の逃げ形状部１３０は、第１の側面部１００に形成される円筒形の曲面形状部である。第１の逃げ形状部１３０と監視カメラ４００の円形ドーム部４３０との間には、空間Ｘが保たれる。第２の逃げ形状部２３０は、第２の側面部２００に形成される円筒形の曲面形状部である。第２の逃げ形状部２３０と監視カメラ４００の円形ドーム部４３０との間には、空間Ｘが保たれる。第１の逃げ形状部１３０と監視カメラ４００の円形ドーム部４３０との間、第２の逃げ形状部２３０と監視カメラ４００の円形ドーム部４３０との間には、それぞれ空間Ｘが保たれるので、緩衝材５００が円形ドーム部４３０に接触することはない。
【００３２】
第１の中空凸部１６０は、第１のリブ形状部１４０の両側で、緩衝材５００の成形基準面５００ｆを基準として監視カメラ４００を保持する面に対して反対側の面に突出して形成されている。これによって、第１のリブ形状部１４０の両側の剛性が高くなっている。
第２の中空凸部２６０は、第２のリブ形状部２４０の両側で、緩衝材５００の成形基準面５００ｆを基準として監視カメラ４００を保持する面に対して反対側の面に突出して形成されている。これによって、第２のリブ形状部２４０の両側の剛性が高くなっている。
【００３３】
また、図５（ａ）、（ｂ）に示すように、第１の中空凸部１６０の突出端と第１のリブ形状部１４０端との間に空間Ｙが形成され、第２の中空凸部２６０の突出端と第２のリブ形状部２４０端との間に空間Ｙが形成される。したがって、包装箱６００から緩衝材５００を持ちあげる場合には、この空間Ｙを利用して、第１のリブ形状部１４０、２４０に手を掛けることができる。すなわち、第１の中空凸部１６０が第１のリブ形状部１４０の両側となる第１の側面部１００の先端部分に形成され、第２の中空凸部２６０が第２のリブ形状部２４０の両側となる第２の側面部２００の先端部分に形成されているので、第１のリブ形状部１４０、２４０が変形を抑えることができる。このため、本実施形態では、重い監視カメラ４００であっても、容易に包装箱６００から引き出すことができる。
【００３４】
図１は、監視カメラ４００を取り出した緩衝材５００を包装箱６００に収納することで、監視カメラ４００を逆さに保持する作業台として使用する様子を説明する図である。図２は、緩衝材５００および包装箱６００よって構成した作業台に、監視カメラ４００を逆さに保持した状態を説明する図である。
【００３５】
図１に示すように、監視カメラ４００は、半球状の円形ドーム部４３０と、平坦な取付面４１０と、裏蓋４４０と、表面カバー４２０を備えている。裏蓋４４０は、取付面４１０にネジ４５０で締結されている。
【００３６】
第１の側面部１００に形成される第１のリブ形状部１４０および第２の側面部２００に形成される第２のリブ形状部２４０は、それぞれ監視カメラ４００の表面カバー４２０上面の外周形状とほぼ同形状の曲面形状となるように形成される。上述したように、第１のリブ形状部１４０が形成されることで、第１の側面部１００の第１の逃げ形状部１３０は補強され、第２のリブ形状部２４０が形成されることで、第２の側面部２００の第２の逃げ形状部２３０は補強される。
【００３７】
図１に図示するように、監視カメラ４００を取り出した緩衝材５００を包装箱６００に収納し、監視カメラ４００の円形ドーム部４３０を下向きにして、緩衝材５００に載置すると、図２に図示する状態となる。図２に図示する状態となるときには、監視カメラ４００の表面カバー４２０上面の外周形状が、第１の側面部１００に形成される第１のリブ形状部１４０および第２の側面部２００に形成される第２のリブ形状部２４０に支えられる。第１のリブ形状部１４０および第２のリブ形状部２４０は、表面カバー４２０上面の外周形状とほぼ同形状の曲面形状であるので、監視カメラ４００は円形ドーム部４３０を下向きにして、安定保持される。
【００３８】
また、監視カメラ４００を逆さにして、第１のリブ形状部１４０、２４０に載置するとき、緩衝材５００の第１の側面部１００および第２の側面部２００には、監視カメラ４００の重さで包装箱６００の内側側面に押される。このとき、第１の中空凸部１６０は緩衝材５００の第１の側面部１００が包装箱６００の内側側面を押す力を緩衝する。第２の中空凸部２６０は緩衝材５００の第２の側面部２００が包装箱６００の内側側面を押す力を緩衝する。
【００３９】
したがって、監視カメラ４００を逆さにして、第１のリブ形状部１４０、２４０に載せたときに、監視カメラ４００の重さで第１の側面部１００および第２の側面部２００が開くことがなく安定して作業することができる。
【００４０】
緩衝材５００および包装箱６００を作業台として利用する場合であっても、第１の逃げ形状部１３０と監視カメラ４００の円形ドーム部４３０との間、第２の逃げ形状部２３０と監視カメラ４００の円形ドーム部４３０との間には、それぞれ空間Ｘが保たれる。すなわち、本実施形態では、図４に示す緩衝材５００が監視カメラ４００を梱包する状態であっても、図１に示す緩衝材５００および包装箱６００を作業台として利用する場合であっても、緩衝材５００が円形ドーム部４３０に接触することはない。
【００４１】
作業者は、図２に図示する状態で、監視カメラ４００の裏蓋４４０のネジ４５０を外して裏蓋４４０を開ける。そして、監視カメラ４００内部の配線接続部に対するケーブルの配線作業や、監視カメラ４００に対するその他の調整作業など行う。
【００４２】
以上説明したように、本実施の形態によれば、大型の監視カメラであっても、作業台として監視カメラの保持を確実に行える梱包システムを提供することができる。
【符号の説明】
【００４３】
１００  第１の側面部
１２０  第１の保持部
１３０  第１の逃げ形状部
１４０  第１のリブ形状部
１５０  第３の中空凸部
１６０  第１の中空凸部
２００  第２の側面部
２２０  第２の保持部
２３０  第２の逃げ形状部
２４０  第２のリブ形状部
２５０  第４の中空凸部
２６０  第２の中空凸部
３００  底面部
３１０  第１の連接部
３２０  第２の連接部
３３０  底受け部
４００  監視カメラ
４３０  円形ドーム部
５００  緩衝材
５００ｆ  緩衝材の成形基準面
６００  包装箱
【図１】
2013035573.tif 000003
【図２】
2013035573.tif 000004
【図３】
2013035573.tif 000005
【図４】
2013035573.tif 000006
【図５】
2013035573.tif 000007